【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
各々がコントローラと当該コントローラに接続される複数のディスクドライブから構成される物理的なボリュームを有する複数のストレージ装置と、
前記複数のストレージ装置と接続され、各々が、前記複数のストレージ装置の異なる二以上のストレージ装置内のそれぞれの物理的なボリュームから構成される複数の仮想ボリュームを、計算機からのアクセス先として提供する仮想化部と、
複数の仮想的なボリューム各々について、当該仮想的なボリュームと、当該仮想的なボリュームが属する複数のストレージ階層との対応関係を管理する管理部とを有し、
前記管理部が、移動元となる仮想的なボリュームと、移動先となるストレージ階層とを指定するための情報を受信すると、
前記管理部の制御によって、指定された前記移動先となるストレージ階層に対応付けられた仮想的なボリュームの中から移動先の仮想的なボリュームが選択され、
前記移動元の仮想的なボリュームのデータが、当該移動元の仮想的なボリュームに対応付けられた物理的なボリューム内の記憶領域から前記移動先の仮想的なボリュームに対応付けられた物理的なボリューム内の記憶領域へコピーされ、
前記仮想化部は、前記移動元の仮想的なボリュームの識別情報を、当該移動元の仮想的なボリュームに代えて前記移動先の仮想的なボリュームに割り当て、
前記移動先の仮想的なボリュームが複数のストレージ階層に属する場合、前記管理部の制御によって、当該複数のストレージ階層のうち、前記移動先として指定された一のストレージ階層に対応する所定の処理が実行されることを特徴とするストレージシステム。
【請求項２】
請求項１記載のストレージシステムであって、
前記移動先の仮想的なボリュームが複数のストレージ階層に属する場合、前記管理部は、当該複数のストレージ階層のうち、前記移動先として指定された一のストレージ階層に対応する所定の処理を選択し、当該移動先として指定された一のストレージ階層に対応する所定の処理を実行することを特徴とするストレージシステム。
【請求項３】
請求項１記載のストレージシステムであって、
前記移動先として指定された一のストレージ階層が第１の階層である場合、当該移動先のストレージ階層に対応する処理は、当該移動先の仮想的なボリュームのデータをコピーする処理であることを特徴とするストレージシステム。
【請求項４】
請求項１記載のストレージシステムであって、
前記移動先として指定された一のストレージ階層が第２の階層である場合、当該移動先のストレージ階層に対応する処理は、当該移動先の仮想的なボリュームの属性をRead Only属性に変更する処理であることを特徴とするストレージシステム。
【請求項５】
請求項１記載のストレージシステムであって、
前記管理部は、複数の仮想的なボリュームから構成されるマイグレーショングループを管理しており、前記管理部が移動元の仮想的なボリュームを指定するための情報として当該マイグレーショングループを指定するための情報を受信した場合に、
前記管理部の制御によって、指定された前記マイグレーショングループに属する複数の仮想的なボリューム各々について、指定された前記移動先となるストレージ階層に対応付けられた仮想的なボリュームの中から移動先の仮想的なボリュームが選択され、
前記マイグレーショングループに属する複数の仮想的なボリューム各々のデータが、当該仮想的なボリュームに対応付けられた物理的なボリューム内の記憶領域から当該各仮想的なボリュームの移動先として選択された移動先の仮想的なボリュームに対応付けられた物理的なボリューム内の記憶領域へコピーされ、
前記仮想化部は、前記マイグレーショングループに属する複数の仮想的なボリューム各々の識別情報を、当該各仮想的なボリュームの移動先として選択された前記移動先の仮想的なボリュームに割り当て、
前記移動先の仮想的なボリュームが複数のストレージ階層に属する場合、前記管理部の制御によって、当該複数のストレージ階層のうち、前記移動先として指定された一のストレージ階層に対応する所定の処理が実行されることを特徴とするストレージシステム。
【請求項６】
請求項５記載のストレージシステムであって、
前記管理部は、複数の仮想的なボリュームの中から相互に所定の関連性のある仮想的なボリュームを複数特定し、特定された複数の仮想的なボリュームを有する前記マイグレーショングループを作成することを特徴とするストレージシステム。
【請求項７】
請求項５記載のストレージシステムであって、
前記マイグレーショングループには、同じアプリケーションによって使用されるデータを格納している複数の仮想的なボリュームが含まれることを特徴とするストレージシステム。
【請求項８】
請求項１記載のストレージシステムであって、
前記管理部は各ストレージ階層を作成するために用いられる条件を受信し、前記仮想的なボリューム毎に当該仮想的なボリュームの属性情報を管理し、当該仮想的なボリュームの属性情報に基づいて、当該仮想的なボリュームが属するストレージ階層を作成することを特徴とするストレージシステム。
【請求項９】
請求項８記載のストレージシステムであって、
前記管理部は、前記仮想的なボリュームの属性情報として動的な属性情報を管理することを特徴とするストレージシステム。
【請求項１０】
各々がコントローラと当該コントローラに接続される複数のディスクドライブから構成される物理的なボリュームを有する複数のストレージ装置と、前記複数のストレージ装置と接続され、各々が、前記複数のストレージ装置の異なる二以上のストレージ装置内のそれぞれの物理的なボリュームから構成される複数の仮想ボリュームを、計算機からのアクセス先として提供する仮想化部と、複数の仮想的なボリューム各々について、当該仮想的なボリュームと当該仮想的なボリュームが属する複数のストレージ階層との対応関係を管理する管理部とを有するストレージシステムにおけるデータ移動方法であって、
前記管理部が、移動元の仮想的なボリュームと移動先となるストレージ階層とを指定するための情報を受信すると、
前記管理部の制御によって、指定された前記移動先となるストレージ階層に対応付けられた仮想的なボリュームの中から移動先の仮想的なボリュームが選択され、
前記移動元の仮想的なボリュームのデータが、当該移動元の仮想的なボリュームに対応付けられた物理的なボリューム内の記憶領域から前記移動先の仮想的なボリュームに対応付けられた物理的なボリューム内の記憶領域へコピーされ、
前記仮想化部は、前記移動元の仮想的なボリュームの識別情報を、当該移動元の仮想的なボリュームに代えて前記移動先の仮想的なボリュームに割り当て、
前記移動先の仮想的なボリュームが複数のストレージ階層に属する場合、前記管理部の制御によって、当該複数のストレージ階層のうち、前記移動先として指定された一のストレージ階層に対応する所定の処理が実行されることを特徴とするデータ移動方法。
【請求項１１】
請求項１０記載のデータ移動方法であって、
前記移動先の仮想的なボリュームが複数のストレージ階層に属する場合、前記管理部は、当該複数のストレージ階層のうち、前記移動先として指定された一のストレージ階層に対応する所定の処理を選択し、当該移動先として指定された一のストレージ階層に対応する所定の処理を実行することを特徴とするデータ移動方法。
【請求項１２】
請求項１０記載のデータ移動方法であって、
前記移動先として指定された一のストレージ階層が第１の階層である場合、当該移動先のストレージ階層に対応する処理は、当該移動先の仮想的なボリュームのデータをコピーする処理であることを特徴とするデータ移動方法。
【請求項１３】
請求項１０記載のデータ移動方法であって、
前記移動先として指定された一のストレージ階層が第２の階層である場合、当該移動先のストレージ階層に対応する処理は、当該移動先の仮想的なボリュームの属性をRead Only属性に変更する処理であることを特徴とするデータ移動方法。
【請求項１４】
請求項１０記載のデータ移動方法であって、
前記管理部は、複数の仮想的なボリュームから構成されるマイグレーショングループを管理し、前記管理部が移動元の仮想的なボリュームを指定するための情報として当該マイグレーショングループを指定するための情報を受信した場合に、
前記管理部の制御によって、指定された前記マイグレーショングループに属する複数の仮想的なボリューム各々について、指定された前記移動先となるストレージ階層に対応付けられた仮想的なボリュームの中から移動先の仮想的なボリュームが選択され、
前記マイグレーショングループに属する複数の仮想的なボリューム各々のデータが、当該仮想的なボリュームに対応付けられた物理的なボリューム内の記憶領域から当該各仮想的なボリュームの移動先として選択された移動先の仮想的なボリュームに対応付けられた物理的なボリューム内の記憶領域へコピーされ、
前記仮想化部は、前記マイグレーショングループに属する複数の仮想的なボリューム各々の識別情報を、当該各仮想的なボリュームの移動先として選択された前記移動先の仮想的なボリュームに割り当て、
前記移動先の仮想的なボリュームが複数のストレージ階層に属する場合、前記管理部の制御によって、当該複数のストレージ階層のうち、前記移動先として指定された一のストレージ階層に対応する所定の処理が実行されることを特徴とするデータ移動方法。
【請求項１５】
請求項１４記載のデータ移動方法であって、
前記管理部は、複数の仮想的なボリュームの中から相互に所定の関連性のある仮想的なボリュームを複数特定し、特定された複数の仮想的なボリュームを有する前記マイグレーショングループを作成することを特徴とするデータ移動方法。
【請求項１６】
請求項１４記載のデータ移動方法であって、
前記マイグレーショングループには、同じアプリケーションによって使用されるデータを格納している複数の仮想的なボリュームが含まれることを特徴とするデータ移動方法。
【請求項１７】
請求項１０記載のデータ移動方法であって、
前記管理部は各ストレージ階層を作成するために用いられる条件を受信し、前記仮想的なボリューム毎に当該仮想的なボリュームの属性情報を管理し、当該仮想的なボリュームの属性情報に基づいて、当該仮想的なボリュームが属するストレージ階層を作成することを特徴とするデータ移動方法。
【請求項１８】
請求項１７記載のデータ移動方法であって、
前記管理部は、前記仮想的なボリュームの属性情報として動的な属性情報を管理することを特徴とするデータ移動方法。